(57)【要約】  本発明の人体昇降装置は、フレーム（１０）と、フレームに対して移動可能な人体支持体と、フレームに対する第１の場所からフレームに対する第２の場所に人体支持体を移動経路に沿って移動させるための移動手段と、を有する。第２の場所は第１の場所から離れている。フレームに対する人体支持体の位置は変えることができ、移動手段は、フレームに対して人体支持体の位置を変えるときに、移動経路の方向に人体支持体を動かすように構成されている。人体支持体は、座部（１４）と肘掛け（１６）と、を含むことができる。移動手段は、油圧シリンダ（２２）と、油圧シリンダに作動液を注入する油圧ポンプ（２４）と、人体支持体と油圧ポンプとの間にあって油圧ポンプを使用するためのレバー機構と、を含むことができる。本発明の方法では、人体昇降装置の動力が生成され、人体昇降装置は、フレームと、フレームに対して移動可能な人体支持体と、フレームに対する第１の場所からフレームに対する第２の場所に移動経路に沿って人体支持体を移動させるための移動手段と、を有し、第２の場所は第１の場所から離れている。移動手段の動力は、フレームに対して人体支持体の位置を変えることによって生成される。
2020531237.tif 000002
【特許請求の範囲】
【請求項１】
フレーム（１０、１１０、２１０）と、前記フレーム（１０、１１０、２１０）に対して移動可能に配置されており、前記フレーム（１０、１１０、２１０）に対する位置を変更可能な人体支持体と、前記フレーム（１０、１１０、２１０）に対する第１の場所から前記フレーム（１０、１１０、２１０）に対する第２の場所へ移動経路に沿って前記人体支持体を移動するための移動手段と、を備え、前記第２の場所は前記第１の場所から離れており、前記移動手段は、前記人体支持体の位置を前記フレーム（１０、１１０、２１０）に対して変えるときに前記移動経路の方向へ前記人体支持体を動かすように構成されている、人体昇降装置において、前記人体昇降装置が、前記フレーム（１０、１１０、２１０）に移動可能なように支持された補助フレーム（１８、１１８、２１８）と、前記補助フレーム（１８、１１８、２１８）に回動可能に支持されたロッカーシャフト（２０、１２０、２２０）と、を含み、前記ロッカーシャフト（２０、１２０、２２０）には、前記人体支持体が取り付けられていることを特徴とする、人体昇降装置。
【請求項２】
前記人体支持体が、座部（１４、１１４、２１４）を含むことを特徴とする、請求項１に記載の人体昇降装置。
【請求項３】
前記人体支持体が、肘掛け（１６、１１６、２１６）を含むことを特徴とする、請求項１または請求項２に記載の人体昇降装置。
【請求項４】
前記人体支持体の前記移動経路が、実質的に直線であり、前記ロッカーシャフト（２０、１２０、２２０）が、前記移動経路の方向に対して実質的に垂直であることを特徴とする、請求項１から請求項３のいずれか一項に記載の人体昇降装置。
【請求項５】
前記人体昇降装置が使用位置にあるとき、前記ロッカーシャフト（２０、１２０、２２０）が実質的に水平な位置にあることを特徴とする、請求項１から請求項４のいずれか一項に記載の人体昇降装置。
【請求項６】
前記人体支持体が幅方向を有し、前記人体昇降装置が使用位置にあるとき、前記ロッカーシャフト（２０、１２０、２２０）が、前記人体支持体の実質的に中央で前記人体支持体の下にあることを特徴とする、請求項１から請求項５のいずれか一項に記載の人体昇降装置。
【請求項７】
前記人体昇降装置が、前記ロッカーシャフト（２０、１２０、２２０）の回転を制限するリミッターをさらに含むことを特徴とする、請求項１から請求項６のいずれか一項に記載の人体昇降装置。
【請求項８】
前記人体昇降装置が、前記人体支持体を前記補助フレーム（１８、１１８、２１８）に対して動かないように係止する係止部材をさらに含むことを特徴とする、請求項１から請求項７のいずれか一項に記載の人体昇降装置。
【請求項９】
前記移動手段が、第１の端部で前記フレーム（１０、１１０、２１０）に、第２の端部で前記補助フレーム（１８、１１８、２１８）に取り付けられる油圧シリンダ（２２、１２２）と、前記油圧シリンダ（２２、１２２）に作動液を注入する油圧ポンプ（２４、１２４）と、前記人体支持体と前記油圧ポンプとの間にあって前記人体支持体の位置を変えることにより前記油圧ポンプ（２４、１２４）を使用するためのレバー機構と、を含むことを特徴とする、請求項１から請求項８のいずれか一項に記載の人体昇降装置。
【請求項１０】
前記移動手段が、第１の端部でフレーム（１０、１１０、２１０）に取り付けられる歯車ラック（２６）と、少なくとも一つのエレベータアーム（２８）と、を含み、前記少なくとも一つのエレベータアーム（２８）は、前記補助フレーム（２１８）に取り付けられる第１の端部と、前記歯車ラック（２６）につく把持点（３０）を有する第２の端部と、を有することを特徴とする、請求項１から請求項９のいずれか一項に記載の人体昇降装置。
【請求項１１】
人体昇降装置は、フレーム（１０、１１０、２１０）と、前記フレーム（１０、１１０、２１０）に対して移動可能な人体支持体と、前記フレーム（１０、１１０、２１０）に対する第１の場所から前記フレーム（１０、１１０、２１０）に対する第２の場所へ移動経路に沿って前記人体支持体を移動するための移動手段と、を備え、前記第２の場所は前記第１の場所から離れており、前記移動手段の動力は、前記フレーム（１０、１１０、２１０）に対する前記人体支持体の位置を変えることで生成される、人体昇降装置の動力を生成する方法において、前記人体昇降装置が、前記フレーム（１０、１１０、２１０）に対し移動可能な補助フレーム（１８、１１８、２１８）と、前記補助フレーム（１８、１１８、２１８）に回動可能に支持されたロッカーシャフト（２０、１２０、２２０）とを含み、前記ロッカーシャフト（２０、１２０、２２０）には、前記人体支持体が取り付けられ、前記人体支持体を傾斜させることで前記人体昇降装置の動力を生成することを特徴とする、方法。
【請求項１２】
前記移動手段が、第１の端部で前記フレーム（１０、１１０、２１０）に、第２端で前記補助フレーム（１８、１１８、２１８）に取り付けられる油圧シリンダ（２２、１２２）と、作動液を前記油圧シリンダ（２２、１２２）に注入するための油圧ポンプ（２４、１２４）と、を備え、前記油圧ポンプ（２４、１２４）は、前記フレーム（１０、１１０、２１０）に対して前記人体支持体の位置を変えることによって使われることを特徴とする、請求項１１に記載の方法。
【請求項１３】
前記人体支持体に支えられた人の重心を前記人体支持体に対して移動させることにより、前記人体支持体の位置を変えることを特徴とする、請求項１１または請求項１２に記載の方法。
【発明の詳細な説明】
【技術分野】
【０００１】
本発明は、フレームと、フレームに対して移動することが可能であり、フレームに対する位置を変更可能な人体支持体と、フレームに対して人体支持体を第１の場所から第２の場所へ移動経路に沿って移動する移動手段と、を有した人体昇降装置に関し、第２の場所は第１の場所から離れていて、フレームに対して人体支持体の位置を変えるときに、移動経路の方向に人体支持体を移動するように、移動手段が構成されている。本発明は、さらにこの人体昇降装置の動力を生成する方法に関する。
【背景技術】
【０００２】
高齢者や身体が弱い人には、できるだけ長く家に居たがる人が多い。多くの高齢者で、下肢の筋力の低下および／または手足の関節損傷によって、自宅での暮らしに困難を生じている。特に厳しい状況は、身体が弱い人が転倒して自分で床から立ち上がれない場合である。身体が弱い人では、たとえ転倒によって特段の負傷がなくても、床から立ち上がることは、難しくてできない可能性がある。一人暮らしの人では、抱えあげてもらうのに助けを求めざるを得ないことが多い。最悪のシナリオの場合、床から助けを求めることができない可能性があり、それによって、起き上がられずに転倒した人にさらなる深刻な結果を引き起こす可能性がある。転倒した身体が弱い人が立ち上がるのを手助けするためには、補助する人にも大きな力が必要となり、難しい姿勢での立ち上げ措置は、転倒した人と転倒した人を手助けする人の双方に事故を引き起こす可能性がある。
【０００３】
床から起き上がりやすくするために、移動式の昇降座部が開発されており、座部には、垂直フレームと、垂直フレームに対して移動可能な座板が備えられる。座板は、電動モーターによって上下する。昇降座部は、座板が床面にごく近くなるように、床に据え付けられる。身体の弱い転倒した人が、自身で座るか、または助けてもらって座板に座るかした後、座板が電動モーターで持ち上がる。座板が上の位置まで持ち上がれば、立っている状態になれる。
【０００４】
電動モーターとバッテリーを備えた昇降座部の製造コストが高いため、経済的な理由から、電動式昇降座部を入手することは不可能な場合が多い。電動モーターを電源線で電力網に接続するか、昇降座部に充電可能なバッテリーを装備する必要がある。電源線によって昇降座部の移動性が制限され、床に置かれた電源線によって転倒や怪我を引き起こす可能性がある。バッテリー駆動の昇降座部では、バッテリーが空になると昇降座部が一時的に使用できなくなるため、バッテリーの定期的な充電に留意する必要がある。モーターは、例えば、持ち上げられる人の手足の障害位置や、把手部や、平坦部や、落下するリスクを、全く認識しないため、モーターを使った座板持ち上げは、昇降台で事故を起こしやすくする。さらに、座部を使用している高齢者の多くは反応が鈍く、万一の事故リスクに遅れずに反応する可能性が低くなる。
【発明の概要】
【発明が解決しようとする課題】
【０００５】
本発明の目的は、従来技術に関連する問題を低減することができる人体昇降装置および人体昇降装置の動力を生成する方法を提供することである。本発明の目的は、独立請求項に提示されていることを特徴とする人体昇降装置および方法により達成される。本発明のいくつかの有利な実施形態は、従属請求項に提示される。
【課題を解決するための手段】
【０００６】
本発明は、フレームと、フレームに対して移動することが可能な人体支持体と、フレームに対して第１の場所から第２の場所へ移動経路に沿って移動する移動手段と、を有した人体昇降装置に関する。第２の場所は第１の場所から離れている。フレームに対する人体支持体の位置は変えることができ、移動手段は、フレームに対して人体支持体の位置を変えるときに、移動経路の方向に人体支持体を動かすように構成されている。人体支持体は、移動可能にフレームに支持された補助フレームと、補助フレームに回動可能に支持されたロッカーシャフトと、を含み、ロッカーシャフトに人体支持体が取り付けられる。フレームに対する人体支持体の位置は、人体支持体を傾けることにより変えられ、人体支持体は、ロッカーシャフトに平行な軸の周りで回動する。
【０００７】
本発明に係る人体昇降装置の有利な一実施形態では、上記人体支持体は座部を含んでいる。人体昇降装置の使用者が座部に着座した後、座部が移動経路に沿って動く。座部に座っている人は、重心を座部の第１の側から第２の側へ移動することにより、座部を傾けることができる。替わりに、または、さらに加えて、人体支持体は肘掛けを含むことができる。
【０００８】
本発明に係る人体昇降装置の第２の有利な実施形態では、人体支持体の移動経路は実質的に直線であり、ロッカーシャフトが移動経路の方向に対して実質的に垂直である。好適には、人体昇降装置が使用位置にあるときに、ロッカーシャフトは実質的に水平位置にある。
【０００９】
本発明に係る人体昇降装置のさらに他の有利な実施形態では、人体昇降装置が幅方向を有し、人体昇降装置が使用位置にあるときには、ロッカーシャフトが、実質的に人体支持体の中央で人体支持体の下の位置にある。
【００１０】
本発明に係る人体昇降装置のさらに他の有利な実施形態は、ロッカーシャフトの回転を制限するためのリミッターをさらに含んでいる。リミッターは、人体支持体が傾きすぎて、人体支持体上に乗るのが難しかったり、または乗り心地が悪くなるのを防ぐ。座部などの人体支持体の傾きは、水平方向から例えば５度、８度、または１０度に制限することができる。人体昇降装置は、人体支持体を動かないように補助フレームに係止するための係止手段をさらに含んでいるのが、有利である。人体支持体を動かない位置に支持しておけば、人体昇降装置は椅子として使える。
【００１１】
本発明に係る人体昇降装置のさらに他の有利な実施形態では、上記移動手段は、第１の端部でフレームに、第２の端部で補助フレームに取り付けられる油圧シリンダと、油圧シリンダに作動液を注入するための油圧ポンプと、人体支持体と油圧ポンプとの間にあって人体支持体の位置を変えることで油圧ポンプを使用するためのレバー機構と、を含んでいる。
【００１２】
本発明に係る人体昇降装置のさらに他の有利な実施形態では、上記移動手段が、第１の端部でフレームに取り付けられたラック歯車と、第１の端部で補助フレームに取り付けられ第２の端部でラック歯車につく把持点を持った少なくとも一つのエレベータアームと、を含んでいる。
【００１３】
本発明に係る方法では、人体昇降装置の動力が生成され、この人体昇降装置は、フレームと、フレームに対して移動可能な人体支持体と、人体支持体をフレームに対する第１の場所からフレームに対する第２の場所へ移動経路に沿って動かすための移動手段と、を有し、第２の場所は第１の場所から離れている。本方法では、移動手段の動力を、フレームに対して人体支持体の位置を変化させることによって生成する。人体昇降装置は、フレームに対して移動可能な補助フレームと、補助フレームに回動可能に支持されたロッカーシャフトと、を含んでいて、ロッカーシャフトに人体支持体が取り付けられており、人体昇降装置の動力は、人体支持体を左右に傾けることで生成される。人体支持体を傾けることで、ロッカーシャフトを左右回動させ、それを移動手段の動力に変換する。
【００１４】
本発明に係る方法の他の有利な実施形態では、上記移動手段は、第１の端部でフレームに、第２の端部で補助フレームに取り付けられる油圧シリンダと、油圧シリンダに作動液を注入するための油圧ポンプと、を含んでいる。この方法では、フレームに対して人体支持体の位置を変えることによって、油圧ポンプを使う。好適には、人体支持体に支えられた人の重心を人体支持体に対して移動させることによって、人体支持体の位置を変えられる。
【００１５】
本発明に係る人体昇降装置の利点は、その製造コストおよび使用コストが安いことである。
【００１６】
本発明のさらなる利点は、その使用が電気を使用できるかに依存しないことである。
【００１７】
本発明のさらなる利点は、使用するのに安全なことである。
【００１８】
本発明のさらに別の利点は、衰弱した人々が自宅での自立管理能力を改善して、補助者の必要性も減ることである。
【００１９】
本発明のさらに別の利点は、その使用者が自分の身体機能を維持するのに役立つことである。
【図面の簡単な説明】
【００２０】
以下、本発明を詳細に説明する。本明細書では、添付図面を参照する。
【図１ａ】一例として、本発明に係る人体昇降装置を側面から見た図を示す。
【図１ｂ】図１ａに示されている人体昇降装置を後方から見た図を示す。
【図１ｃ】図１ａおよび図１ｂに示されている人体昇降装置を側面から見た図を示す。
【図２ａ】図１ｃに示されている人体昇降装置の一部を後方から見た図を示す。
【図２ｂ】図１ｃに示されている人体昇降装置の一部を後方から見た図を示す。
【図２ｃ】図１ｃに示されている人体昇降装置の一部を後方から見た図を示す。
【図３ａ】本発明に係る人体昇降装置の有利な実施形態を側面から見た図を示す。
【図３ｂ】図３ａに示されている人体昇降装置の実施形態の一部を後方から見た図を示す。
【図３ｃ】図３ａに示されている人体昇降装置の実施形態の一部を後方から見た図を示す。
【図３ｄ】図３ａに示されている人体昇降装置の実施形態の一部を後方から見た図を示す。
【図４ａ】本発明に係る人体昇降装置の第２の有利な実施形態の一部を後方から見た図を示す。
【図４ｂ】本発明に係る人体昇降装置の第２の有利な実施形態の一部を後方から見た図を示す。
【図４ｃ】本発明に係る人体昇降装置の第２の有利な実施形態の一部を後方から見た図を示す。
【発明を実施するための形態】
【００２１】
図１ａおよび図１ｃは、一例として、本発明に係る人体昇降装置を側面から見た図を示し、図１ｂは、同じ人体昇降装置を後方から見た図を示す。図１ａおよび図１ｂでは、人体昇降装置の座部１４は下方位置にあり、図１ｃでは座部は上方位置にある。以下では、全ての図を同時に説明する。
【００２２】
人体昇降装置は、ベース１００の表面に設置される脚部８と、脚部に支持された２本の平行な端部支柱である第１の端部支柱６ａおよび第２の端部支柱６ｂと、を含むフレーム１０を有する。端部支柱は、それぞれの端を平行な端梁４で互いに連結される。脚部と、端部支柱と、端梁とは金属部品であり、溶接またはボルトで固定される。脚部は、成形された梁状の部品を含み、該部品はベースの方向でベースの上に固定される。端部支柱は脚部に実質的に直角に取り付けられているため、実質的に水平なベースの上にあるフレーム１０の端部支柱６ａおよび端部支柱６ｂは実質的に垂直な位置となる。フレームは支えなしで立つように設計されている。つまり、床などの実質的に水平なベース１００に設置された場合、フレームは他の支持部品や他の構造部品に取り付けられずに垂直な位置のままである。脚部は車輪を有することが可能で、車輪に乗せて人体昇降装置をベース上で動かすことができる（車輪は図示せず）。
【００２３】
補助フレーム１８は、移動可能なようにフレーム１０に支持されており、第１の側部支持体１９ａと第２の側部支持体１９ｂを含む２つの側部支持体を有する。この側部支持体は、成形された梁状の部品であり、実質的に端部支柱方向の垂直部分と、実質的に脚部８方向の水平部分と、これら垂直部分と水平部分を連結する角部分と、を有する。この角部分は、垂直部分と水平部分に対して実質的に４５度の角度をなす。側部支持体における水平部分の自由端と垂直部分の自由端は、接合梁１７で互いに連結される。補助フレームは、端部支柱の間に配置され、側部支持体の水平部分が端部支柱の第１の側に、側部支持体の垂直部分が第２の側に置かれる。２つの支持ローラー３２は、側部支持体１９ａと側部支持体１９ｂのそれぞれの軸受に取り付けられる。第１の支持ローラーは、端部支柱６ａおよび端部支柱６ｂの第１の側で、水平部分と角部分との間の接合部の近くにあり、第２の支持ローラー３２は、端部支柱の第２の側で、垂直部分の側面にある。補助フレームは、この支持ローラーを介して端部支柱に支えられるため、同じ側部支持体上の支持ローラーは、端部支柱の互いに反対側の側面に沿って転がる。したがって、フレームの端部支柱が直線移動経路となり、これに沿って補助フレームは支持ローラーの制御に従い往復移動できる。
【００２４】
軸受ハウジング３４は、側部支持体１９ａと側部支持体１９ｂの水平部分の端部を連結する接合梁１７に取り付けられ、軸受ハウジングをロッカーシャフト２０が貫通する。ロッカーシャフトは、端部支柱６ａと端部支柱６ｂによって規定される平面に対して実質的に垂直な位置にあるため、水平なベースに設置された人体昇降装置では、ロッカーシャフトは実質的に水平となる。座部１４は、ロッカーシャフトの第１の端部に取り付けられ、この座部は、脚部方向の着座面と、脚部の平面からある角度で向きを変える背もたれと、を含む。２つの肘掛け１６は、背もたれに取り付けられており、それら肘掛けは着座面の互いに反対の端につく。本明細書では、人体支持体を座部と肘掛けの包括用語として用いる。ロッカーシャフトは、軸受ハウジング内で自軸の周りに回転することができ、それにより、座部およびそれに取り付けられた肘掛けは、ロッカーシャフトの回転方向で斜めに傾く。
【００２５】
端部支柱の第２の側には、油圧シリンダ２２があって、シリンダパイプ２５とシリンダパイプの内側から押し出されるピストンロッド２７を含んでいる。シリンダパイプは、その第１の端部で脚部８に取り付けられ、ピストンロッドの自由端部は、補助フレーム１８の垂直部分の端部を連結する接合梁１７に取り付けられており、これによって、油圧シリンダは端部支柱と実質的に平行な位置になる。側部支持体の水平部分を連結する接合梁の上部には油圧ポンプ２４があり、そこから油圧パイプが油圧シリンダ２２のシリンダパイプ２５につながっている。油圧ポンプは、ロッカーシャフト２０の第２の端部にレバー機構で連結されているため、ロッカーシャフトの左右回動により、油圧ポンプは油圧シリンダ２２に作動液を注入する。
【００２６】
図１ａおよび図１ｂでは、人体昇降装置の座部１４は、ベース１００の表面にごく近く、その移動経路の第１の端位置にある。座部を一方から他方に横に傾けることで、ロッカーシャフト２０が左右に回動し、それにより、油圧ポンプ２４が油圧シリンダ２２に作動液を注入し、それによって長さが伸びる。長さが伸びる油圧シリンダによって補助フレーム１８および、それに支持された座部１４は、端部支柱６ａと端部支柱６ｂによって規定される移動経路に沿って、図１ｃに示す位置に持ち上げられる。補助フレームと座部は、座部で横方向の揺動が行われている限りはずっと上昇する。座部に関しては、係止部材があって、これにより、必要に応じ、補助フレームに対して固定位置に座部を係止することができる（係止部材は図示せず）。油圧ポンプまたは油圧シリンダに関しては、圧力解放部材があり、これを用いて、作動液を、シリンダパイプから流し出して油圧ポンプにつながる作動液容器に入るように放出することができ、それにより補助フレーム１８およびそこに取り付けられた座部は、自重でもって、ゆっくりと図１ａに示す下方位置に下降する。
【００２７】
図２ａ、図２ｂ及び図２ｃは、例として、図１ｃの切断線Ａ−Ａに沿って切断された本発明に係る人体昇降装置を示す。図２ａは、補助フレームの側部支持体１９ａと側部支持体１９ｂの水平部分の端部と、それらを連結する接合梁１７および中間梁３８と、を示す。接合梁の上面には軸受ハウジング３４があり、ロッカーシャフト２０はここを貫通する。ロッカーシャフトの第１の端部は座部１４の背もたれに取り付けられ、ロッカーシャフトの第２の端部は水平ロッド３６の中央部に回動不能に取り付けられている。垂直支柱４０が中間梁に取り付けられており、その支柱の端には水平な上部ロッド４２がある。上部ロッドは、ピボットピンで回転できるように支柱の端に取り付けられている。上部ロッドの第１の端部は、剛性ロッド４４で水平ロッドの第１の端部に連結される。上部ロッドの第２の端部は、油圧ポンプ２４のピストンロッドの自由端部に接続されている。
【００２８】
水平ロッドは、側部支持体の水平部分の上面レベルより少し上の位置にある。つまり、側部支持体の端部と水平部分の間に数センチの隙間が残される。この隙間で、座部１４を横向きに傾けることが可能になり、それにより、座部に取り付けられたロッカーシャフト２０が、その長手軸の周りで回動する。同時に、ロッカーシャフトに取り付けられた水平ロッド３６は座部が傾いた方向に傾斜する。座部は、水平ロッドの自由端部が側部支持体１９ａと側部支持体１９ｂの水平部分の表面に当たるまで傾けることができる。このように、水平ロッドと側部支持体は一緒になってリミッターを形成して、座部の横方向の傾斜の上限を設定する。水平部分の上面には、衝撃吸収部４６があって、座部が揺動する最後で金属部品同士がぶつからないようにしている。衝撃吸収部の代わりに、例えばコイルスプリングを衝撃吸収部材として用いることもできる。水平ロッドの端部には調整ネジがあって、水平ロッドを傾けると、その調整ネジの突出端が第１の衝撃吸収部に当たる。調整ネジを回すことにより、水平のロッドと座部の横方向の傾きに対し、適切な制限値を設定できる。
【００２９】
図２ａでは、座部は水平位置にある。座部１４の右側の半分または右の肘掛けに、座部の左側の半分または肘掛けよりも大きな力がかかると、座部は図２ｂに示す位置に傾く。同様に、より大きな力が、座部の左半分または左の肘掛けにかかると、座部は図２ｃに示す位置に傾く。したがって、座部上の人の重心を回動軸の異なる側に交互に移動することにより、座部を横方向の左右に傾けることができる。身体が弱くても上半身を制御できる人は多いので、重心の移動は手助けなしでうまくできる。着座面の互いに反対の端にある肘掛けに交互に力をかけることで、座部を傾けることもできる。肘掛けにかける力は、持ち上げられる人自身で、または持ち上げ作業を手助けする他の人によって、引き出せる。
【００３０】
図１ａ〜図１ｃおよび図２ａ〜図２ｃに示されている人体昇降装置では、ロッカーシャフトは、フレームの端部支柱の方向に対して実質的に垂直である。このように、人体昇降装置が通常の使用位置にあるときは、ロッカーシャフトは実質的に水平であって、水平軸の周りに座部を傾けることにより座部が持ち上げられる。ロッカーシャフトを端部支柱と実質的に平行な位置に配置し、座部が直接または間接的にロッカーシャフトに取り付けられるように、本発明を実装することも可能である。したがって、人体昇降装置が通常の使用位置にあるときに、ロッカーシャフトは実質的に垂直になる。油圧ポンプと、油圧ポンプおよび座部を連結するレバー機構は、この実施形態では水平位置に配置され、水平位置で座部を左右に回動させることで、ポンプが使用される。
【００３１】
図３ａは、一例として、側面から見た本発明に係る人体昇降装置の有利な実施形態を示す。図３ｂ、図３ｃ及び図３ｄは、図３ａに示される実施形態の一部を、切断線Ｂ−Ｂで示される後方から見たものを示す。図に示す実施形態は、上述の本発明と同じ種類の、フレーム１１０と、補助フレーム１１８と、座部１１４と、肘掛け１１６と、油圧シリンダ１２２と、作動液容器を備えた油圧ポンプ１２４と、を有する。図に示す実施形態は、座部１１４が補助フレーム１１８に動かないように取り付けられる、つまり、座部を横に傾けることができないという点で、上述の本発明とは異なる。座部の側面に設置された肘掛け１１６は、水平ロッド１３６の端部に取り付けられる。この実施形態では、座部に座った人が肘掛けに体重を交互にかけるか、外の人が加える力によって、肘掛けを一方の側から他方の側に交互に傾ける。肘掛けに力をかけると、水平ロッドがロッカーシャフト１２０を中心に傾き、それによって、油圧ポンプ１２４により油圧シリンダ１２２に作動液が注入され、座部が上昇する。肘掛けが左右に揺動している間は、座部は常に補助フレーム１１８に対して動かないままである。
【００３２】
図４ａ、図４ｂ及び図４ｃは、一例として、後方から見た本発明に係る人体昇降装置の第２の有利な実施形態の一部を示す。図に示す実施形態は、上述のフレーム２１０と、移動可能なようにフレームに支持された補助フレーム２１８と、ロッカーシャフト２２０により補助フレームに回動できるように取り付けられた座部２１４と、を有し、座部は肘掛け２１６を有する。ロッカーシャフトの第１の端部は座部２１４の背もたれに取り付けられ、ロッカーシャフトの第２の端部は水平ロッド２３６の中間部分に回転できないように取り付けられている。図には、フレームの上部のみを示す。
【００３３】
図に示す人体昇降装置は、上記の座部用油圧作動式移動手段の代わりに機械式移動手段を備えている。ラック歯車２６は、向かい合う長辺側に鋸歯を有し、フレーム２１０の端部支柱２０６ａの上端部と端部支柱２０６ｂの上端部を連結する端梁２０４に取り付けられている。２つのエレベータアーム２８が水平ロッド２３６に取り付けられており、エレベータアームの第１の端部に把持点３０がある。エレベータアームは、把持点がラック歯車の歯に収まるように、ラック歯車の鋸歯状の側面に配置される。エレベータアームは、その第２の端部をピボットピンで水平ロッドに取り付けられ、スプリング３１で、互いに接続されており、スプリングの張力によって、把持点がラック歯車から外れるのを防ぐ。
【００３４】
図４ａでは、座部は水平位置にある。座部の左側の半分または左の肘掛けに、座部の右側の半分または肘掛けよりも大きな力がかかると、座部は図４ｂに示す位置に傾く。同様に、より大きな力が、座部の右半分または右の肘掛けにかかると、座部は図４ｃに示す位置に傾く。座部が傾くたびに、座部の上昇端側のエレベータアーム２８の把持点３０が、ラック歯車に沿って次の歯に上がる、つまり、補助フレーム２１８とそれに取り付けられた座部が持ち上がる。図に示された機械的移動手段は、解除部材をさらに含んでいて、その助けにより、両方のエレベータアームの把持点をラック歯車の表面から離すことができ、それによって、補助フレームとそれに取り付けられた座部が自重でもって下降する。機構は、当然、ブレーキ部材をさらに含み、それによって、下降する座部の動きが減速されてベースへの自由落下が防がれる（解除部材およびブレーキ部材は図示せず）。
【００３５】
図４ａ、図４ｂ及び図４ｃに示される実施形態では、座部と肘掛けの両方が、ロッカーシャフトの周りで回動できるように、補助フレーム上に支持される。この実施形態は、図３ａ〜図３ｄに示される方法で実施することも可能で、それにより、座部は動かないように補助フレームに取り付けられ、肘掛け２１６が、ロッカーシャフト２２０を中心に回動する水平軸２３６上に支持される。
【００３６】
上記の人体昇降装置は、特に、下肢が弱い人および／または高齢者のための補助具を意味している。この人体昇降装置を利用すれば、床に倒れた身体が弱い人も自力で床から立ち上がることができる。以下のようにして座部と肘掛けを備えた人体昇降装置を使い、床から立ち上がる。床に倒れた人は、人体昇降装置の近くまで床に沿って移動し、補助フレームとそれに取り付けられた座部を、床面近くのその最下端の位置まで下げる。その後、体を横にして座部に座る。座部に起き上がった後、上半身の重心を、座部の中心線の両サイドに、および／または中心線の両サイドの肘掛けに、交互に動かすことによって、座部および／または肘掛けを傾斜させ始める。座部および／または肘掛けを傾けると、移動機構が座部とその上の人をフレームの端部支柱の方向に持ち上げる。起き上がる人の他に別の人がいる場合、この人は、必要に応じて、肘掛けを傾けて起き上がるのを手助けすることができる。座部が十分な高さまで上昇すると、座部および／または肘掛けを傾けるのを止める。人体昇降装置の上に座ったままでいるか、座部から離れて両足で支えられて立った姿勢になるともできる。
【００３７】
本発明に係る人体昇降装置のフレームと補助フレームは、鋼、アルミニウム、または複合材料など、目的に適した任意の材料から製造することができる。材料選定を利用して、人体昇降装置の製造コストと重量に影響を与えることができ、重量は、人体昇降装置の移動のしやすさに直接影響する。移動を容易にするために、フレームに車輪を取り付けると有利であるが、この車輪は、立ち上がる際に人体昇降装置を使うときには、ロックして回らないようにできる。人体昇降装置は、カーテンを使って、外見を従来の家具の一つのように見せることも可能である。このような人体昇降装置は、起き上がりの補助が必要でない場合、通常の椅子として使用できる。
【００３８】
本発明に係る人体昇降装置および方法のいくつかの有利な実施形態を上述した。本発明は、上述の解決策に限定されるものではなく、本発明の考えは、特許請求の範囲内で様々な方法で適用することができる。
【図１ａ】
2020531237.tif 000003
【図１ｂ】
2020531237.tif 000004
【図１ｃ】
2020531237.tif 000005
【図２ａ】
2020531237.tif 000006
【図２ｂ】
2020531237.tif 000007
【図２ｃ】
2020531237.tif 000008
【図３ａ】
2020531237.tif 000009
【図３ｂ】
2020531237.tif 000010
【図３ｃ】
2020531237.tif 000011
【図３ｄ】
2020531237.tif 000012
【図４ａ】
2020531237.tif 000013
【図４ｂ】
2020531237.tif 000014
【図４ｃ】
2020531237.tif 000015
【国際調査報告】
2020531237.tif 000016
2020531237.tif 000017
2020531237.tif 000018